(57)【特許請求の範囲】
【請求項１】
床の所定位置に設置したベース部材と、前記ベース部材から上方に延びるポールと、２本の前記ポールの上端に係合することでほぼ水平状態に支持されるフレーム部材との組み合わせから成る共有空間構造体であって、
３本の前記ポールと、平面視直線状の２本のフレーム部材とで構成され、該両フレーム部材の作る内角を１２０度とした最小共有空間構造体を少なくとも１つ以上有するものとし、前記ポールに、上下方向に連続して外方に開口し、左右に係止片を有する略Ｕ字状の溝部を円周方向に６０度間隔で設けるとともに、前記フレーム部材の端部に取り付けられた止着部材と、頭部が前記ポールの上端部と係合するまで前記溝部に挿入される受け部材とが、ボルトのネジ作用により該受け部材と止着部材が近接するようにして前記係止片を挟持することで、前記フレーム部材を前記ポールに取り付けたことを特徴とする共有空間構造体。
【請求項２】
隣り合う前記最小共有空間構造体が、前記ポール或いはポールとフレーム部材を共用しているものを含む請求項１に記載の共有空間構造体。
【請求項３】
中心のポールを共用して前記最小共有空間構造体を円周方向に３つ配置して円状の空間構造体を構築した請求項２に記載の共有空間構造体。
【請求項４】
前記最小共有空間構造体を一列に連続して並べて凹凸状の仕切構造体を構築した請求項２に記載の共有空間構造体。
【請求項５】
合い離れた前記共有空間構造体が、前記フレーム部材によって連設しているものを含む請求項１ないし４の何れかに記載の共有空間構造体。
【請求項６】
少なくとも一つの前記ポールにはオフィスワークに必要な設備が備わっている請求項１ないし５の何れかに記載の共有空間構造体。
【発明の詳細な説明】
【０００１】
【発明の属する技術分野】
本発明は、オフィスルームやパビリオン等の比較的広い空間体において、人と人とが自由にふれ合うことのできるオープンな空間部を有する構造体に関する。
【０００２】
【従来の技術】
近年、オフィス等のオープン化を図り、コミュニケーションを活発化させるということが唱えられ初められているが、オフィスルームやパビリオン等の比較的広い空間体を仕切って多目的のスペース、即ち来客とビジネストークするレセプションスペース、意見等を出し合うコラボレーションスペース、簡単な会合をするミーティングスペース、気分転換のためのリラックススペース或いは本や雑誌等が閲覧できるライブラリースペース等を構築する場合は、一般に、天井から床まで柱を立てて、柱の間を壁で覆うようにして部屋を造るようにしたもの、或いはパーティションにより空間を間仕切り所要のスペースを得るようにしたもの等が従来知られている。
【０００３】
【発明が解決しようとする課題】
しかしながら、上記したいずれのものも、壁やパーティションにより所要空間を画定するようになっているために、所要目的のために構築した空間構造体がそれ以外の外部空間と部分的にしか開放されていないような関係で連接するものであるから、オフィス等のオープン化によるコミュニケーションの活発化という目的を達成するための完全に解放された空間構造体とはなっていなかった。その上、柱と壁により部屋を造るようにした前者のスペース構築手段は、堅固なスペースはできるが、床や天井が取付けのために部分的に損傷する恐れがあった。また、パーティションにより間仕切りする後者のスペース構築手段は、平面的な仕切を垂直に立てただけであるから外力に対し極めて不安定であり、スペースの外郭をしっかりと保持することができない欠点を有していた。
【０００４】
本発明は、このような状況に鑑みてなされたもので、オフィス等のオープン化を図るために、所要目的のために構築した空間構造体が、それ以外の外部空間と充分開放された関係で連接している構造体（以下このような空間構造体を「共有空間構造体」と定義する。）であって、ポールとフレーム部材の組み合わせにより堅牢で、かつ部屋のどこにも損傷を与えない部屋の広さに対応できる使用しやすい形と大きさの共有空間構造体を提供することを目的とする。
【０００５】
【課題を解決するための手段】
上記課題を解決するために、本発明の共有空間構造体は、床の所定位置に設置したベース部材と、前記ベース部材から上方に延びるポールと、２本の前記ポールの上端に係合することでほぼ水平状態に支持されるフレーム部材との組み合わせから成る共有空間構造体であって、
３本の前記ポールと、平面視直線状の２本のフレーム部材とで構成され、該両フレーム部材の作る内角を１２０度とした最小共有空間構造体を少なくとも１つ以上有するものとし、前記ポールに、上下方向に連続して外方に開口し、左右に係止片を有する略Ｕ字状の溝部を円周方向に６０度間隔で設けるとともに、前記フレーム部材の端部に取り付けられた止着部材と、頭部が前記ポールの上端部と係合するまで前記溝部に挿入される受け部材とが、ボルトのネジ作用により該受け部材と止着部材が近接するようにして前記係止片を挟持することで、前記フレーム部材を前記ポールに取り付けたことを特徴としている。
この特徴によれば、３本のポールと２本のフレーム部材を使用するだけで、天井や壁等を傷つけることなく最小共有空間構造体が構築でき、ポールの上部はフレーム部材でしっかり枠組みされているから、構造体自体が移動したり変形したりするようなことがなく堅牢であり、両フレーム部材の作る内角を１２０度とした最小共有空間構造体を複数組み合わせることで、円状等を含む使用しやすい形と大きさの共有空間構造体を自由に得ることができる。また、一本のポールに対して複数のフレーム部材を係合できるので、最小共有空間構造体を連設するときや、ポールに什器等を取り付けるのに、新たに取付のための加工をポールに施す必要がない。しかもフレーム部材は、その端部に取り付けられた止着部材と、頭部が前記ポールの上端部と係合するまで前記溝部に挿入される受け部材とが、ボルトのネジ作用により該受け部材と止着部材が近接するようにして前記係止片を挟持させているので、簡素な構造でフレーム部材のポールに対する連結を確実に行うことが出来る。
【０００６】
本発明の共有空間構造体は、隣り合う前記最小共有空間構造体が、前記ポール或いはポールとフレーム部材を共用しているものを含むことが好ましい。
このようにすれば、部屋の構造や、オフィスの雰囲気に合わせて変化に富んだ形の共有空間構造体を得ることができる。
【０００７】
本発明の共有空間構造体は、中心のポールを共用して前記最小共有空間構造体を円周方向に３つ配置して円状の構造体を構築することが好ましい。
このようにすれば、最小共有空間構造体を円周方向に３つ配置するだけで、使いやすい円状の共有空間構造体を得ることができる。
【０００８】
本発明の共有空間構造体は、前記最小共有空間構造体を一列に連続して並べて凹凸状の仕切構造体を構築することが好ましい。
このようにすれば、凹凸の空間部を机等を配設して作業スペースとすることで効率の良い空間利用が実現できる。
【０００９】
本発明の共有空間構造体は、合い離れた前記共有空間構造体が、前記フレーム部材によって連設しているものを含むことが好ましい。
このようにすれば、広がりのある使い勝手の良い共有空間構造体を構築できる。
【００１１】
本発明の共有空間構造体は、少なくとも一つの前記ポールにはオフィスワークに必要な設備が備わっていることが好ましい。
このようにすれば、ポールに対して電源設備や、あるいは机を支持することで、仕事のし易い作業場を共有空間構造体に備えることができる。
【００１２】
【発明の実施の形態】
以下、本発明の実施例を図面に基づいて説明すると、まず図１にはワークスペースとして構築した３つの最小共有空間構造体１ａ、１ｂ、１ｃを組み合わせた共有空間構造体１の全体斜視図が、また図２には３つの最小共有空間構造体１ａ、１ｂ、１ｃを組み合わせた共有空間構造体１の平面図が示されている。
【００１３】
例えば最小共有空間構造体１ａは、３本のポール３ａ、３ｂ、３ｃと、中央に立設配置されるポール３ｂとその両側に立設配置される２本のポール３ａ、３ｂの上端に係合することで水平状態に支持されるフレーム部材４ａ、４ｂとで構築され、両フレーム部材４ａ、４ｂの作る内角は１２０度になっている。左右に立設配置される短尺のサイドポール３ｆ、３ｇは補助的なポールであって、作業空間のパーティションとして、かつ天板２８の支持のために設けられている。これらポール３ａ、３ｂ、３ｃないしサイドポール３ｆ、３ｇの下端にはベース部材２が取り付けられている。
【００１４】
この共有空間構造体１とは、図１及び図２に従って説明すると、既に定義したように、最小共有空間構造体を組み合わせたもので、最小共有空間構造体１ａは、それ以外の共有空間構造体１ｂ、１ｃと連設され、各構造体は充分開放された空間を持っている。
【００１５】
具体的には、３本のポール３ａ、３ｂ、３ｃと２つのフレーム部材４ａ、４ｂとで構築される最小の共有空間構造体１ａが、３本のポール３ｃ、３ｄ、３ｅと２つのフレーム部材４ｃ、４ｄとで構築された別の最小共有空間構造体１ｂとポール３ｃを共用して連設されている。このような構造体を構築することにより、背面側に３本のポール３ｂ、３ｃ、３ｄと２つのフレーム部材４ｂ、４ｃを共用した最小共有空間構造体１ｃが造られることになる。
【００１６】
次に、本実施例で使用されている共有空間構造体１の具体的な構造について説明すると、図３は、ベース部材２とポール３とフレーム部材４及びトップキャップ１５の組立分解図であり、ベース部材２は、空間構造体の外郭を画定する床７の所定位置に設置され、ポール３の下端にネジ８を介して連結具２ａを締結すると共にこの連結具２ａ底部のボスに基台２ｂを調整可能に螺着し、この基台２ｂの位置調整により床面が多少変形或いは傾斜していてもベース部材２が常に水平状態を維持できるように構成されている。
【００１７】
ポール３の上端は、フレーム部材４と着脱自在に固定されている。トップキャップ１５はその底部中央に螺合雄ねじ１５Ｘを有し、ポール３の上部中央に形成されている雌ねじ部３Ｘとネジ結合することにより、ポール３に形成されている溝部９を覆うようにしてポール３に固定される。
【００１８】
図４はポール３の断面図であって、本実施例では円周に外側部が若干拡がった略Ｕ字状の６つの溝部９が上下方向に延びており、各溝部９の外方を向く開口９ａの左右両側に、遊端が互いに向き合って離間する左右の係止片１０により溝部９の一部が覆われている。
【００１９】
本実施例において溝部９は、円柱状のポール外周に６０°の等間隔で６個形成してあるものを使用しているが、溝の数やその方向はフレーム部材４の取付け可能な数量とその取付け方向と関連するので、共有空間構造体の設計者は、構築しようとする共有空間構造体の全体の形状や、ポールに什器等を取り付けることができるように適宜選定する。また、ポール形状は円柱状と限らず、例えば六角柱状のもので６つの溝部を形成するようにしたものであってもよい。
【００２０】
図５は前記溝部９の一つと上方から下方に向けて摺動係合できる受け部材１１を示したものであって、図５（ａ）は一部断面を示す側面図であり、図５（ｂ）は受け部材１１の上面図であって頭部１１ａの形状が示されており、図５（ｃ）は図５（ａ）のＡ−Ａ’断面図である。
【００２１】
受け部材１１を、図５（ｃ）に示すポール３に断面略台形状に形成した溝部９の上方より挿入すると、受け部材１１の係合凸部１１ｂがポール３の溝部９と摺動係合し、図４の仮想線で示したように、溝部９よりも大きい係止頭部１１ａがポール３の上端部と係合した時点で受け部材１１の下方向への移動が停止する。また、図５（ａ）に示されているように、この受け部材１１には雌ねじ部１１ｃと嵌合穴１１ｄがいずれも上下に２箇所づつ形成されていて、雌ねじ部１１ｃに螺合するボルト１３（図６参照）によって受け部材１１が係止片１０と係合できるようにフレーム部材４の上下両端に突設した止着部材１２に向かって移動する。
【００２２】
図６は止着部材１２の側面図であり、この止着部材１２の一側面側には図５に示す受け部材１１の嵌合穴１１ｄと嵌合する嵌合突起１２ｄが上下２箇所に設けられていると共に、受け部材１１の雌ねじ部１１ｃと螺合できるボルト１３を受け入れる貫通孔１２ｃと、ボルト１３の頭部１３ａの座部１２ｃ’が形成されている。
【００２３】
一方、止着部材１２の嵌合突起１２ｄが形成された側と対向する反対面側にはフレーム部材４の端部と嵌合する柱状突起１２ａが上下２箇所に設けられ、図３に示したフレーム部材４を構成するアッパービーム４Ａとローワビーム４Ａ’端部の中空部に差し込んで嵌合係止させ、この嵌合結合を更に確実なものとするために、ボルト１４により止着部材１２に設けた貫通孔１２ｂを介して両ビーム４Ａ，４Ａ’の中実部に螺合させている。また、両ビーム４Ａと４Ａ’は補強のため図３に示す中間材４Ｂ（図３）が溶接されている。
【００２４】
図７はポール３にフレーム部材４が連結固定された図で、図７（ａ）が側面図、図７（ｂ）は図７（ａ）のＡ−Ａ’断面図である。フレーム部材４をポール３に連結固定するに際し、図６に示すように、先ず両ビーム４Ａ，４Ａ’の両端にボルト１４により止着部材１２を取り付け、受け部材１１の嵌合穴１１ｄに止着部材１２の嵌合突起１２ｄを嵌合させて一体化し、位置設定されている２つのポール３の上方からフレーム部材４の端部に取り付けられている受け部材１１を溝部９に沿って下方に移動し、受け部材１１の係止頭部１１ａがポール３の上端部に係合するまで挿入する。
【００２５】
この状態で作業者がフレーム部材４から手を離しても、フレーム部材４の下方への落下は係止頭部１１ａにより、また、フレーム部材４の水平方向の離動は２つのポール３によって阻止されているから、次の作業に移行するのが容易である。
【００２６】
次に、ボルト１３を止着部材１２の貫通孔１２ｃに挿入し、ボルト１３の先端部を受け部材１１の雌ねじ部１１ｃに螺合させ、その状態からボルト１３をねじ込んでいけば、受け部材１１は溝部９内でその回動が阻止されているから、ネジ作用により図７の（ｂ）に図示するように係止片１０が、受け部材１１とフレーム部材４端部の止着部材１２で挟持され、フレーム部材４がポール３に確実に連結固定されることになる。
【００２７】
一方、図１、図２に示すように、最小共有空間構造体１ａを構成する３本のポール３ａ、３ｂ、３ｃの下方及び短尺のサイドポール３ｆ、３ｇ間は、上下が連結部材２０ａ、２０ｂ及び２２ａ、２２ｂで連結されており、３本のポール３ａ、３ｂ、３ｃ及びサイドポール３ｆ、３ｇないし連結部材２０ａ、２０ｂ及び２２ａ、２２ｂで区画される枠内に仕切り板２４、２６が取り付けられている。
【００２８】
そして、３本のポール３ａ、３ｂ、３ｃ及びその両側に配置されるサイドポール３ｆ、３ｇ下方の側面には、最小共有空間側に向けて同一高さ位置から天板支持体２５が突設し、これら天板支持体２５にはテーブルの天板２８が取り付けられている。尚、３本のポール３ａ、３ｂ、３ｃ及びサイドポール３ｆ、３ｇと連結部材２０ａ、２０ｂ及び２２ａ、２２ｂとの取付け構造は、重複するため説明はしないが、上述したフレーム部材４の止着部材１２と受け部材１１による取り付け構造と同様に構成することができる。
【００２９】
尚、最小共有空間構造体１ａ、１ｂ、１ｃの共有するポール３ｂ、３ｃ、３ｄには、図１に示すように所定高さ位置に例えば電源スイッチＳやコンセント（不図示）が取り付けられ、ポール３ｂ、３ｃ、３ｄに対応して天井に取り付けられた照明器具Ｌに接続された電源コードを溝部９内に通して電源スイッチＳまで配線し、または図３に示すように、床７の下面から取り出した電源コードＣを溝部９内に通してコンセントまで配線することで、配線処理や電気器具の操作を容易に行うことができるだけでなく室内の美観が向上する。このように、ポールに対して電源設備や、あるいは机を支持することで、整った仕事のし易い作業場を共有空間構造体に備えることができる。
【００３０】
次に、図１に示す本発明の共有空間構造体１を構築する施工手順について説明する。
【００３１】
最初に、共有空間構造体１の外郭を画定する３本のポール３ａ、３ｂ及び３ｃの内の平面視中間に位置するポール３ｂの上端側面に内角が１２０度となるように、前記した方法で２本のフレーム部材４ａ、４ｂを取り付け、両フレーム部材４ａ、４ｂの外方を向く他端にそれぞれポール３ａ、３ｂを取り付けて一体化させた状態で床面上に自立させる。３本のポール３ａ、３ｂ、３ｃを垂直に自立させる際には、図３に示すベース部材２を、床が多少変形或いは傾斜していても水平度が保てるように調節しながら立設する。
【００３２】
次いで、図３に示すように、トップキャップ１５を、その底部中央に設けられている螺合雄ねじ１５Ｘを、各ポール３ａ，ｂ，ｃの上部中央に形成されている雌ねじ部３Ｘとネジ結合させて、ポール頂部に固定する。このトップキャップ１５は溝部９を上から覆うようになっているから、ポールとフレーム部材との連結が緩んできても、受け部材１１の係止頭部１１ａがトップキャップ１５によりおさえられ、フレーム部材４ａ，４ｂの上方への抜け出しが阻止できる。
【００３３】
最後に、立設した３本のポール３ａ、３ｂ、３ｃ間の上下に連結部材２０ａ、２０ｂを連結固定すると共に、ポール３ａ、３ｃの外側に連結部材２２ａ、２２ｂを介してそれぞれサイドポール３ｆ、３ｇを床面上に立設し、３本のポール３ａ、３ｂ、３ｃ及びサイドポール３ｆ、３ｇないし連結部材２０ａ、２０ｂ及び２２ａ、２２ｂで区画される枠内に仕切り板２４、２６を取り付ける。
【００３４】
３本のポール３ａ、３ｂ、３ｃ及びサイドポール３ｆ、３ｇ下方の側面には、同一高さ位置から最小共有空間側に向けて突設した天板支持体２５にテーブルの天板２８が水平に取り付けられる。
【００３５】
従って、上記のように構成された共有空間構造体によれば、３本のポール３ａ、３ｂ、３ｃと２本のフレーム部材４ａ、４ｂを使用するだけで、天井や壁等を傷つけることなく最小共有空間構造体１ａが構築でき、各ポール３ａ、３ｂ、３ｃの上部はフレーム部材４ａ、４ｂでしっかり枠組みされているから、構造体自体が移動したり変形したりするようなことがなく堅牢であり、最小共有空間構造体１ａ、１ｂ及び１ｃを複数組み合わせることで、円状等を含む使用しやすい形と大きさの共有空間構造体を自由に得ることができる。
【００３６】
また、各ポール３ａ、３ｂ、３ｃの外周には、溝部９が６等配で配設されているので、少なくとも２本のフレーム部材４ａ、４ｂを６０度単位で係合することができ、３本のフレーム部材を内角が１２０度になるように取付けて円状の共有空間構造体を造ることもできる。
【００３７】
このように、その後は、共有空間構造体の使用目的に応じて、ポールとフレーム部材を適宜追加し、図１及び図２に示すような所望の形の共有空間構造体１ｂ、を連設していく。このように最小共有空間構造体を一列に連続して並べて凹凸状の仕切構造体を構築していくと、凹凸の空間部に天板２８等を配設でき、無駄のない作業スペースを得ることができる。
【００３８】
図８は２組の最小共有空間構造体が、フレーム部材によって連結された各種連設形態を示す平面図であり、図８の（ａ）はその一つの連設形態を示している。この連設形態は、３本のポールＰ１、Ｐ２、Ｐ３と２本のフレーム部材Ｆ１、Ｆ２を使用して構築した２組の最小共有空間構造体Ｘ、Ｙを、それぞれの中間に配置されるポールＰ２間を連設フレーム部材ＦＣにより連結したものである。
【００３９】
また、図８の（ｂ）に示す連設形態は、２組の最小共有空間構造体Ｘ、Ｙを、それぞれの端部に配置されるポールＰ３、Ｐ３間を連設フレーム部材ＦＣにより連結したものである。
【００４０】
更に、図８の（ｃ）に示す連設形態は、最小共有空間構造体Ｘの端部に配置されるポールＰ３と最小共有空間構造体Ｙの中間に配置されるポールＰ２間を連設フレーム部材ＦＣにより連結したものである。
【００４１】
次に、図９及び図１０は、最小共有空間構造体の別の連設形態を示すもので、隣り合う最小共有空間構造体が、ポールとフレーム部材を共用したものである。
【００４２】
本実施形態に係る円形状の共有空間構造体は、３つの最小共有空間構造体２９ａ、２９ｂ及び２９ｃから成り、これら最小共有空間構造体２９ａ〜２９ｃは、中央に立設配置される共有のポール１９ｄと、このポール１９ｄの上端外周に１２０度間隔で均等に取り付けられた共有の３本のフレーム部材３８ａ、３８ｂ、３８ｃと、これら３本のフレーム部材３８ａ、３８ｂ、３８ｃの他端を上端に取付けた３本のポール１９ａ、１９ｂ、１９ｃと、これら３本のポール１９ａ、１９ｂ、１９ｃと共用ポール１９ｄを自立支持するために、これらポール１９ａ、１９ｂ、１９ｃの直下に配置されるテーブル支柱３０とで構成されている。
【００４３】
更に具体的に説明すると、共用ポール１９ｄの周囲並びに、該ポール１９ｄを中心として３本のフレーム部材３８ａ、３８ｂ、３８ｃに連結されて３等配された各ポール１９ａ、１９ｂ、１９ｃの周囲には、外周が連続する円弧状の曲線で形成される天板で囲むように３枚の天板５ａ、５ｂ及び５ｃが支持されており、３枚の天板５ａ、５ｂ、５ｃの各端部が共用ポール１９ｄの周囲で接合された状態で水平に支持されている。
【００４４】
そして、テーブル支柱３０は、円板状のベース３２と、このベース３２上に立設保持される図示しない４本の支柱と、これら支柱の上端に取付けられて各ポール１９ａ、１９ｂ、１９ｃ及び１９ｄを挿通すべく各天板５ａ、５ｂ、５ｃに形成された挿通孔周囲の下面を支持する支持板（不図示）と、４本の支柱を囲繞するようにこれら支柱の外側に固定された支柱カバー３４とで構成されている。
【００４５】
また、図１０に示すように各天板５ａ、５ｂ、５ｃに形成された各挿通孔は、コンセント３６が露呈するように周囲に配置されたトップカバー３５により閉塞されており、コンセント３６に接続された複数の電源コードＣは、支柱カバー３４の内部空間より下方のベース３２を挿通して引き出され、例えば床下の主電源コードに接続されている。
【００４６】
更に電源コードＣは、各ポール１９ａ、１９ｂ、１９ｃ及び１９ｄの溝部内を通して隠蔽状態で上方に向けて延設することが可能であり、例えば天井に設けられた照明器具Ｌに接続することができる。
【００４７】
次に、別の連設形態に係る共有空間構造体の変形例に付き、図１１を参照して説明する。尚、上記の構成部材と同一構成部材については、同一符号を付し重複する説明を省略する。図１１は別の連設形態に係る共有空間構造体の斜視図であり、共有空間構造体は、３つの最小共有空間構造体２９′ａ、２９′ｂ及び２９′ｃから成り、最小共有空間構造体２９′ａは、中央に立設配置される共有のポール１９ｃと、このポール１９ｃの上端外周に１２０度間隔で取り付けられた２本のフレーム部材３８ａ、３８ｂとで構成されている。
【００４８】
また、最小共有空間構造体２９′ｂは、中央に立設配置されるポール１９ｅと、このポール１９ｅの上端外周に１２０度間隔で取り付けられた２本のフレーム部材３８ｃ、３８ｄとで構成されている。
【００４９】
最小共有空間構造体２９′ｃは、中間に位置するポール１９ｃと、このポール１９ｃの上端外周に１２０度間隔で取り付けられた２本のフレーム部材３８ｄ、３８ａと、これら２本のフレーム部材３８ｄ、３８ａの他端を上端に取付けた２本のポール１９ａ、１９ｅとから構成されている。
【００５０】
そして、５本のポール１９ａ〜１９ｅには、これらポール１９ａ〜１９ｅの直下に配置されるテーブル支柱３０と、これらテーブル支柱３０の上端に支持されるテーブルの天板５′ａ、５′ｂ、５′ｃ及び５′ｄとを有している。そして、これら４枚の天板５′ａ、５′ｂ、５′ｃ、５′ｄが５本のポール１９ａ、１９ｂ、１９ｃ、１９ｄ、１９ｅの周囲を連続する円弧状の曲線で囲むようにテーブル支柱３０の上端で支持されている。
【００５１】
従って、上記のような連設形態で構成された共有空間構造体が、隣り合う最小共有空間構造体２９′ａ、２９′ｂ及び２９′ｃが、ポール１９ａ、１９ｂ或いはポール１９ｃ、１９ｅとフレーム部材３８ａ、３８ｂ、３８ｄを共用しているものを含むように構成することにより、部屋の構造や、オフィスの雰囲気に合わせて変化に富んだ形の共有空間構造体を得ることができる。
【００５２】
特に、ポール３に形成されているフレーム部材を支持するための溝部が上端から下方に向かって形成されているから、フレーム部材４をポール３の上端から素早く係合或いは或いは上端に向かって離脱させることができる。また、ポール３とフレーム部材４の連結は部屋のどこも利用しないので、構築に際し、部屋の一部を損傷したりする恐れはなく、ポール３の上部はフレーム部材４でしっかり枠組みされているから、構造体自体が移動したり変形したりするようなこともない。
【００５３】
尚、上記の実施形態では、ポール３の外周に上下方向に延びる６つの溝部９を６０度毎に形成した構成としたが、ポール３の溝部の数は６個に限定するものではない。
【００５４】
【発明の効果】
本発明は以下の効果を奏する。
【００５５】
（ａ）請求項１項の発明によれば、３本のポールと２本のフレーム部材を使用するだけで、天井や壁等を傷つけることなく最小共有空間構造体が構築でき、ポールの上部はフレーム部材でしっかり枠組みされているから、構造体自体が移動したり変形したりするようなことがなく堅牢であり、両フレーム部材の作る内角を１２０度とした最小共有空間構造体を複数組み合わせることで、円状等を含む使用しやすい形と大きさの共有空間構造体を自由に得ることができる。また、一本のポールに対して複数のフレーム部材を係合できるので、最小共有空間構造体を連設するときや、ポールに什器等を取り付けるのに、新たに取付のための加工をポールに施す必要がない。しかもフレーム部材は、その端部に取り付けられた止着部材と、頭部が前記ポールの上端部と係合するまで前記溝部に挿入される受け部材とが、ボルトのネジ作用により該受け部材と止着部材が近接するようにして前記係止片を挟持させているので、簡素な構造でフレーム部材のポールに対する連結を確実に行うことが出来る。
【００５６】
（ｂ）請求項２項の発明によれば、部屋の構造や、オフィスの雰囲気に合わせて変化に富んだ形の共有空間構造体を得ることができる。
【００５７】
（ｃ）請求項３項の発明によれば、最小共有空間構造体を円周方向に３つ配置するだけで、使いやすい円状の共有空間構造体を得ることができる。
【００５８】
（ｄ）請求項４項の発明によれば、凹凸の空間部を机等を配設して作業スペースとすることで効率の良い空間利用が実現できる。
【００５９】
（ｅ）請求項５項の発明によれば、広がりのある使い勝手の良い共有空間構造体を構築できる。
【００６１】
（ｆ）請求項６項の発明によれば、ポールに対して電源設備や、あるいは机を支持することで、仕事のし易い作業場を共有空間構造体に備えることができる。
【図面の簡単な説明】
【図１】本発明の共有空間構造体の全体図斜視図である。
【図２】本発明の共有空間構造体の平面図である。
【図３】ポール及びその近傍の分解斜視図である。
【図４】ポールの断面図である。
【図５】（ａ）は受け部材の一部断面を示す側面図、（ｂ）は受け部材の上面図であり、（ｃ）は（ａ）のＡ−Ａ’断面図である。
【図６】止着部材の側面図である。
【図７】ポールにフレーム部材が連結固定された図で、（ａ）が側面図、（ｂ）が（ａ）のＡ−Ａ’断面図である。
【図８】（ａ）〜（ｃ）は、フレーム部材によって合い離れた２つの最小共有空間構造体が連設された各種連結形態を示す概念図である。
【図９】ポール或いはポールとフレーム部材を共用するように最小共有空間構造体が連設された共有空間構造体の全体斜視図である。
【図１０】同様に図９に示す最小共有空間構造体の天板の一部と、この天板を支持するテーブル支柱の斜視図である。
【図１１】連結形態の変形例であって、ポール或いはポールとフレーム部材を共用するように最小共有空間構造体を連設した共有空間構造体の全体斜視図である。
【符号の説明】
１                        共有空間構造体
１ａ、１ｂ、１ｃ          最小共有空間構造体
２                        ベース部材
２ａ                      連結具
２ｂ                      基台
３、３ａ〜３ｅ            ポール
３ｆ〜３ｊ                サイドポール
３Ｘ                      雌ねじ部
４                        フレーム部材
４ａ、４ｂ、４ｃ          フレーム部材
４Ａ                      アッパービーム
４Ａ’                    ローワビーム
４Ｂ                      中間材
５ａ〜５ｃ                天板
５′ａ〜５′ｄ            天板
７                        床
８                        ネジ
９                        溝部
９ａ                      開口
１０                      係止片
１１                      受け部材
１１ａ                    係止頭部
１１ｂ                    係合凸部
１１ｃ                    雌ねじ部
１１ｄ                    嵌合穴
１２                      止着部材
１２ａ                    柱状突起
１２ｂ、１２ｃ            貫通孔
１２ｄ                    嵌合突起
１２ｃ’                  座部
１３                      ボルト
１３ａ                    頭部
１４                      ボルト
１５                      トップキャップ
１５Ｘ                    螺合雄ねじ
１９ａ〜１９ｅ            ポール
２０ａ、２０ｂ            連結部材
２２ａ、２２ｂ            連結部材
２４                      仕切り板
２５                      天板支持体
２６                      仕切り板
２８                      天板
２９ａ、２９ｂ、２９ｃ    最小共有空間構造体
２９′ａ、２９′ｂ        最小共有空間構造体
２９′ｃ                  最小共有空間構造体
３０                      テーブル支柱
３２                      ベース
３４                      支柱カバー
３５                      トップカバー
３６                      コンセント
３８ａ〜３８ｄ            フレーム部材
Ｃ                        電源コード
Ｆ１、Ｆ２                フレーム部材
ＦＣ                      連設フレーム部材
Ｌ                        照明器具
Ｐ１、Ｐ２、Ｐ３          ポール
Ｓ                        電源スイッチ
Ｘ、Ｙ                    最小共有空間構造体
【図１】
0003954359.tif 000002
【図２】
0003954359.tif 000003
【図３】
0003954359.tif 000004
【図４】
0003954359.tif 000005
【図５】
0003954359.tif 000006
【図６】
0003954359.tif 000007
【図７】
0003954359.tif 000008
【図８】
0003954359.tif 000009
【図９】
0003954359.tif 000010
【図１０】
0003954359.tif 000011
【図１１】
0003954359.tif 000012